(57)【要約】【課題】障害や警報に対するネットワーク装置の応答時間を正確に且つ高い再現性で測定できるようにする。【解決手段】データ信号発生手段２４は、測定対象装置１に与えるためのデータ信号Ｄを発生する。警報障害付加手段２５は警報障害指定手段２１によって指定された警報または障害が付加されたデータ信号Ｄ′を測定対象装置１に入力する。応答検出手段２５は、測定対象装置１から警報または障害に対応する応答情報が出力されたか否かを判定する。計時手段２７は警報障害付加手段２５によって警報または障害が付加されたタイミングから、応答検出手段２５によって応答情報の出力が検出されたタイミングまでの時間を計測し、応答時間算出手段２８は、その計時手段２７の計測結果に基づいて、付加された警報または障害に対する測定対象装置１の応答時間を算出する。【選択図】        図１
2005033562.tif 000002
【特許請求の範囲】
【請求項１】
ネットワークに用いられる測定対象装置に与えるためのデータ信号を発生するデータ信号発生手段（２４）と、
警報または障害の種別を指定する警報障害指定手段（２１）と、
前記警報障害指定手段によって指定された警報または障害を前記データ信号に付加する警報障害付加手段（２５）と、
前記警報または障害が付加されたデータ信号に対して測定対象装置から前記警報または障害に対応する応答情報が出力されたか否かを判定する応答検出手段（２６）と、
前記警報障害付加手段によって警報または障害が付加されたタイミングから、前記応答検出手段によって応答情報の出力が検出されたタイミングまでの時間を計測する計時手段（２７）とを有し、
前記計時手段の計測結果に基づいて、前記付加された警報または障害に対する前記測定対象装置の応答時間を求めることを特徴とするネットワーク装置の応答時間測定装置。
【請求項２】
ネットワークに用いられる測定対象装置に与えるためのデータ信号を発生するデータ信号発生手段（２４）と、
警報または障害の種別を指定する警報障害指定手段（２１）と、
前記警報障害指定手段によって指定された警報または障害を前記データ信号に付加する警報障害付加手段（２５）と、
前記警報障害付加手段によって警報または障害が付加されたタイミングから、該警報または障害に対して前記測定対象装置からトリガ信号が出力されるタイミングまでの時間を計測する計時手段（２７）とを有し、
前記計時手段の計測結果に基づいて、前記付加された警報または障害に対する前記測定対象装置の応答時間を求めることを特徴とするネットワーク装置の応答時間測定装置。
【請求項３】
ネットワークに用いられる測定対象装置に警報または障害に対する応答情報を出力させるためのトリガ信号を生成して前記測定対象装置に入力するトリガ信号発生手段（３０）と、
前記トリガ信号に対して測定対象装置から前記警報または障害に対応する応答情報が出力されたか否かを判定する応答検出手段（２６）と、
前記トリガ信号が測定対象装置に入力されたタイミングから、前記応答検出手段によって応答情報の出力が検出されたタイミングまでの時間を計測する計時手段（２７）とを有し、
前記計時手段の計測結果に基づいて、前記トリガ信号に対する前記測定対象装置の応答時間を求めることを特徴とするネットワーク装置の応答時間測定装置。
【発明の詳細な説明】
【０００１】
【発明の属する技術分野】
本発明は、ネットワークに発生した障害等に対するネットワーク装置（データ伝送装置やデバイス）の応答時間を、簡単に且つ正確に測定するための技術に関する。
【０００２】
【従来の技術と解決しようとする課題】
各種ネットワークに用いられるデータ伝送装置やその内部に使用されるデバイスは、ビットエラーの連続発生、フレーム同期ずれ、回線断等の障害が発生したときに、その障害の種類に応じた応答情報を出力するように構成されている。
【０００３】
また、特定の警報情報を受けたときにその警報情報に対して所定の応答情報を出力するように構成されている。
【０００４】
このような応答情報は、障害や警報が発生したときにネットワーク全体としてデータ伝送を正常に行なえる回線への切り換え処理を規定時間以内に行なうために用いられる。
【０００５】
したがって、障害や警報が発生したときに上記のようなネットワーク装置がそれに応じた応答情報を出力するまでに要する時間が必要以上に長いと、前記した回線切り換え処理等を円滑に行なえなくなってしまう。
【０００６】
このために、ネットワークを構築する場合やメンテナンスを行なう際には、障害や警報に対するネットワーク装置の応答時間を正確に把握しておく必要がある。
【０００７】
この応答時間を測定する方法として、障害発生から応答情報出力までの時間をオシロスコープを用いて観測する方法があったが、この方法では測定精度が低く、再現性の高い測定を行なうことができないという問題があった。
【０００８】
なお、ネットワーク装置の障害に関わる技術としては、次の特許文献１に開示されているように、所定信号を監視対象装置に一定時間おきに送信し、その信号に対する無応答時間が所定時間を越えたときに障害有りと判定するものがあるが、この技術では障害や警報に対するネットワーク装置の応答時間を把握することはできない。
【０００９】
【特許文献１】
特開２００２−２９０４２８公報
【００１０】
本発明は、この問題を解決して、障害や警報に対するネットワーク装置の応答時間を正確に且つ高い再現性で測定できるネットワーク装置の応答時間測定装置を提供することを目的としている。
【００１１】
【課題を解決するための手段】
前記目的を達成するために、本発明の請求項１の応答時間測定装置は、
ネットワークに用いられる測定対象装置に与えるためのデータ信号を発生するデータ信号発生手段（２４）と、
警報または障害の種別を指定する警報障害指定手段（２１）と、
前記警報障害指定手段によって指定された警報または障害を前記データ信号に付加する警報障害付加手段（２５）と、
前記警報または障害が付加されたデータ信号に対して測定対象装置から前記警報または障害に対応する応答情報が出力されたか否かを判定する応答検出手段（２６）と、
前記警報障害付加手段によって警報または障害が付加されたタイミングから、前記応答検出手段によって応答情報の出力が検出されたタイミングまでの時間を計測する計時手段（２７）とを有し、
前記計時手段の計測結果に基づいて、前記付加された警報または障害に対する前記測定対象装置の応答時間を求めることを特徴としている。
【００１２】
また、本発明の請求項２の応答時間測定装置は、
ネットワークに用いられる測定対象装置に与えるためのデータ信号を発生するデータ信号発生手段（２４）と、
警報または障害の種別を指定する警報障害指定手段（２１）と、
前記警報障害指定手段によって指定された警報または障害を前記データ信号に付加する警報障害付加手段（２５）と、
前記警報障害付加手段によって警報または障害が付加されたタイミングから、該警報または障害に対して前記測定対象装置からトリガ信号が出力されるタイミングまでの時間を計測する計時手段（２７）とを有し、
前記計時手段の計測結果に基づいて、前記付加された警報または障害に対する前記測定対象装置の応答時間を求めることを特徴としている。
【００１３】
また、本発明の請求項３の応答時間測定装置は、
ネットワークに用いられる測定対象装置に警報または障害に対する応答情報を出力させるためのトリガ信号を生成して前記測定対象装置に入力するトリガ信号発生手段（３０）と、
前記トリガ信号に対して測定対象装置から前記警報または障害に対応する応答情報が出力されたか否かを判定する応答検出手段（２６）と、
前記トリガ信号が測定対象装置に入力されたタイミングから、前記応答検出手段によって応答情報の出力が検出されたタイミングまでの時間を計測する計時手段（２７）とを有し、
前記計時手段の計測結果に基づいて、前記トリガ信号に対する前記測定対象装置の応答時間を求めることを特徴としている。
【００１４】
【発明の実施の形態】
以下、図面に基づいて本発明の実施の形態を説明する。
図１は、本発明を適用した応答時間測定装置２０の構成を示している。
【００１５】
この応答時間測定装置２０は、例えばＳＤＨまたはＳＯＮＥＴ等の同期伝送システムに用いられるデータ伝送装置やデバイス等のネットワーク装置を測定対象装置１とするものである。
【００１６】
警報障害指定手段２１は、測定対象装置１に通知する警報や障害の種別を表示器２２に表示するとともに、操作部２３の操作によって任意の種別を指定させる。
【００１７】
この種別は、例えば、ビットエラー障害、フレーム同期障害、回線断障害、警報情報等である。
【００１８】
データ信号発生手段２４は、ＳＤＨやＳＯＮＥＴのフレームのデータ信号Ｄを例えば図２の（ａ）のように生成して、警報障害付加手段２５に出力する。
【００１９】
警報障害付加手段２５は、警報障害指定手段２１によって指定された種別の警報または障害をデータ信号Ｄに付加し、その警報や障害が付加されたデータ信号Ｄ′を図２の（ｂ）のように測定対象装置１に出力するとともに、図２の（ｃ）のようにその警報または障害が測定対象装置１に伝達されたタイミング（ここではフレームの最終ビットが出力されたタイミング）に立ち上がる第１のトリガ信号ＴＲ１を出力する。
【００２０】
例えば、ビットエラー障害が指定されている場合には、データ信号Ｄの特定のビット範囲のデータの１と０を反転させたデータ信号Ｄ′を測定対象装置１に与える。
【００２１】
また、フレーム同期障害が指定されている場合には、データ信号Ｄのオーバヘッド部分のフレーム識別領域に所定のデータを挿入したデータ信号Ｄ′を測定対象装置１に与える。
【００２２】
また、回線断障害が指定された場合には、測定対象装置１に対するデータ信号Ｄの入力を規制する（全ビット０または１のデータ信号Ｄ′に変換する）。
【００２３】
また、警報情報の付加が指定された場合には、データ信号Ｄのオーバヘッド部分の特定領域に所定の警報情報を挿入したデータ信号Ｄ′を、測定対象装置１に与える。
【００２４】
このような警報または障害の付加により、測定対象装置１は、その警報や障害の種別に応じた応答情報を含むデータ信号Ｄ″を、図２の（ｄ）に示すように、警報または障害が付加されている間、連続的に出力する。
【００２５】
測定対象装置１から出力されるデータ信号Ｄ″は応答検出手段２６に入力される。応答検出手段２６は、警報または障害が付加されたデータ信号Ｄ′に対して測定対象装置１からその警報または障害に対応する応答情報が含まれるデータ信号Ｄ″が出力されたか否かを判定し、対応する応答情報が含まれるデータ信号Ｄ″が、図２の（ｅ）のように、予め指定されている警報または障害について予め設定されている回数Ｍ（図では３回）連続して出力されたとき、図２の（ｆ）のように、第２のトリガ信号ＴＲ２を出力する。
【００２６】
なお、この応答情報は、ＳＤＨやＳＯＮＥＴのフレームの場合、測定対象装置１が出力するデータ信号Ｄ″のオーバヘッド部の特定領域に挿入されており、応答検出手段２６は、この特定位置のデータを判定している。
【００２７】
また、この応答検出手段２６は、指定された警報や障害に対応する応答情報が所定回連続するか否かを判定しているので、外乱等で単発的に応答情報が出力されたときに誤った応答時間の測定を行なわずに済む。
【００２８】
計時手段２７は、警報障害付加手段２５から第１のトリガ信号ＴＲ１が出力されたタイミング（警報または障害が付加されたタイミング）から、応答検出手段２３から第２のトリガ信号ＴＲ２が出力されたタイミング（測定対象装置１から所定の応答情報を含むフレームが所定回数Ｍ連続して出力されたタイミング）までの時間Ｔ１を計測する。
【００２９】
応答時間算出手段２８は計時手段２７によって計測された時間Ｔ１と、指定されている警報または障害について予め設定されている回数Ｍに基づいて、指定された警報または障害に対する測定対象装置１の応答時間Ｔ２を求め、これを表示器２２に表示する。
【００３０】
この応答時間Ｔ２の算出は、例えば、計測時間Ｔ１から、測定対象装置１が応答情報を含むデータ信号Ｄ″をＭ−１回連続して出力するのに要する時間Ｔ′を差し引いて、本来の応答時間を求めている。
【００３１】
なお、設定されている回数Ｍが１の場合には、計時手段２７で計測された時間Ｔ１を応答時間として表示器２２に表示する。
【００３２】
実施形態の応答時間測定装置２０は、上記のように構成されているため、任意に指定した警報または障害に対する測定対象装置１の応答時間を正確に求めることができ、再現性の高い測定が行なえる。
【００３３】
前記した応答時間測定装置２０は、データ信号を入出力する測定対象装置１の応答時間を求めていたが、測定対象装置１が入力するデータ信号に付加された障害や警報に対してトリガ信号を出力する機能を有する場合には、図３に示す応答時間測定装置２０′のように、応答検出手段２６および応答時間算出手段２８を省略することができる。
【００３４】
この応答時間測定装置２０′の場合、図４の（ａ）に示すデータ信号Ｄに警報または障害を付加して得られるデータ信号Ｄ′を図４の（ｂ）のように測定対象装置１に入力し、図４の（ｃ）のように警報障害付加手段２５から第１のトリガ信号ＴＲ１が出力されたタイミングから、図４の（ｄ）のように測定対象装置１からトリガ信号ＴＲ２′が出力されるまでの時間Ｔ１を計測し、その時間Ｔ１を応答時間とする。
【００３５】
また、測定対象装置１が、データ信号Ｄを受ける代わりにトリガ信号を受けたときに、特定の応答情報を含むデータ信号を出力する機能を有する場合には、図５に示す応答時間測定装置２０″のように、データ信号発生手段２４および警報障害付加手段２５を省略して、トリガ信号発生手段３１を設ければよい。
【００３６】
この応答時間測定装置２０″の場合、図６の（ａ）のようにトリガ信号発生手段３１が発生したトリガ信号ＴＲ１′を測定対象装置１と計時手段２７に与えることで、測定対象装置１から図６の（ｂ）のようにデータ信号Ｄ″を出力させる。
【００３７】
そして、図６の（ｃ）のようにそのデータ信号Ｄ″に含まれる応答情報が、指定されている警報または障害について予め設定されている回数Ｍ（図では３回）連続して出力されたとき、図６の（ｄ）のように、第２のトリガ信号ＴＲ２を出力し、トリガ信号ＴＲ１′が出力されたタイミングから第２のトリガ信号ＴＲ２が出力されるまでの時間Ｔ１を求め、その時間Ｔ１から前記同様に応答時間を求める。
【００３８】
なお、ここで、測定対象装置１のトリガ入力端子が一つ、即ち、１種類の警報または障害に対する応答情報しか出力しない場合には、警報障害指定手段２１も省略することができる。また、測定対象装置１が複数のトリガ入力端子を有し、各トリガ入力端子毎に異なる応答情報を出力するような場合には、トリガ信号ＴＲ１′を入力する端子に応じた警報や障害を警報障害指定手段２１によって指定してそれに対応する応答情報を検出するようにする。
【００３９】
【発明の効果】
以上説明したように、本発明の応答時間測定装置は、測定対象装置に与えるためのデータ信号を発生するデータ信号発生手段と、警報または障害の種別を指定する警報障害指定手段と、警報障害指定手段によって指定された警報または障害を前記データ信号に付加する警報障害付加手段と、警報または障害が付加されたデータ信号に対して測定対象装置から警報または障害に対応する応答情報が出力されたか否かを判定する応答検出手段と、警報障害付加手段によって警報または障害が付加されたタイミングから、応答検出手段によって応答情報の出力が検出されたタイミングまでの時間を計測する計時手段とを有し、計時手段の計測結果に基づいて、付加された警報または障害に対する測定対象装置の応答時間を求めている。
【００４０】
このため、データ信号を入出力する構造の測定対象装置の各種の警報や障害に対する応答時間を正確に求めることができ、再現性の高い測定が行なえる。
【００４１】
また、本発明の応答時間測定装置は、測定対象装置に与えるためのデータ信号を発生するデータ信号発生手段と、警報または障害の種別を指定する警報障害指定手段と、警報障害指定手段によって指定された警報または障害を前記データ信号に付加する警報障害付加手段と、警報障害付加手段によって警報または障害が付加されたタイミングから、その警報または障害に対して測定対象装置からトリガ信号が出力されるタイミングまでの時間を計測する計時手段とを有し、計時手段の計測結果に基づいて、付加された警報または障害に対する測定対象装置の応答時間を求めている。
【００４２】
このため、入力データ信号の障害や警報に対してトリガ信号を出力する構造の測定対象装置の応答時間を正確に求めることができ、再現性の高い測定が行なえる。
【００４３】
また、本発明の応答時間測定装置は、測定対象装置に警報または障害に対する応答情報を出力させるためのトリガ信号を生成して測定対象装置に入力するトリガ信号発生手段と、そのトリガ信号に対して測定対象装置から警報または障害に対応する応答情報が出力されたか否かを判定する応答検出手段と、トリガ信号が測定対象装置に入力されたタイミングから、応答検出手段によって応答情報の出力が検出されたタイミングまでの時間を計測する計時手段とを有し、計時手段の計測結果に基づいて、トリガ信号に対する測定対象装置の応答時間を求めている。
【００４４】
このため、トリガ信号の入力に対して障害や警報の応答情報を出力する構造の測定対象装置の応答時間を正確に求めることができ、再現性の高い測定が行なえる。
【図面の簡単な説明】
【図１】本発明の第１の実施形態の構成を示す図
【図２】第１の実施形態の動作説明図
【図３】本発明の第２の実施形態の構成を示す図
【図４】第２の実施形態の動作説明図
【図５】本発明の第３の実施形態の構成を示す図
【図６】第３の実施形態の動作説明図
【符号の説明】
１……測定対象装置、２０、２０′、２０″……応答時間測定装置、２１……警報障害指定手段、２２……表示器、２３……操作部、２４……データ信号発生手段、２５……警報障害付加手段、２６……応答検出手段、２７……計時手段、２８……応答時間算出手段、３０……トリガ信号発生手段
【図１】
2005033562.tif 000003
【図２】
2005033562.tif 000004
【図３】
2005033562.tif 000005
【図４】
2005033562.tif 000006
【図５】
2005033562.tif 000007
【図６】
2005033562.tif 000008